(57)【要約】      （修正有）【課題】植物栽培の関係者間で、植物工場施設の情報を共有し、それぞれが一元管理可能な縦型水耕栽培植物工場統合管理システムを提供する。【解決手段】植物購入者６６はモニター付き端末装置６８ｄからインターネットＮを介して栽培関連データサーバー７４にアクセスすることができる。栽培管理者６４は、栽培関連データサーバー７４で受信された養液情報とハウス内環境情報に基づき、インターネットＮを介して植物工場施設６１における養液とハウス内環境の数値を遠隔で制御可能に構成される。設備管理者６５には、インターネットＮを介して複数の植物工場施設から送信される養液情報と、ハウス内環境情報と、ハウス外環境情報とを受信する設備関連データサーバー７５を備える。投資家６２は、モニター付き端末装置６８ａからインターネットＮを介して設備関連データサーバー７５にアクセスすることができる。【選択図】図１
2018195148.tif 000002
【特許請求の範囲】
【請求項１】
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする縦型水耕栽培植物工場統合管理システム。
【請求項２】
請求項１記載の縦型水耕栽培植物工場統合管理システムにおいて、
前記植物工場施設６１は、ハウス６７の床面積がトラックで輸送可能な広さの長方形状で、現場で二次元幅方向に複数個連結可能であることを特徴とする縦型水耕栽培植物工場統合管理システム。
【請求項３】
請求項１又は２に記載の縦型水耕栽培植物工場統合管理システムにおいて、
前記栽培従事者６３が入力する植物栽培状況の日報データは、農薬データと、植物生産量と、収穫された農作物の成果価値を示す評価値と、病気情況と、害虫情況と、養液管理状況であることを特徴とする縦型水耕栽培植物工場統合管理システム。
【請求項４】
請求項１〜３のいずれか１項に記載の縦型水耕栽培植物工場統合管理システムにおいて、
前記養液センサー６９で検出される養液情報は、養液の温度とＥＣ・ＰＨであることを特徴とする縦型水耕栽培植物工場統合管理システム。
【請求項５】
請求項１〜４のいずれか１項に記載の縦型水耕栽培植物工場統合管理システムにおいて、
前記ハウス内環境センサー７０で検出されるハウス６７内の環境情報は、ハウス６７内の温度と、湿度と、ＣＯ２とであり、ハウス外環境センサー７３で検出されるハウス６７外の環境情報は、日照と、外気温度とであることを特徴とする縦型水耕栽培植物工場統合管理システム。
【請求項６】
請求項５に記載の縦型水耕栽培植物工場統合管理システムにおいて、
前記植物工場施設６１のハウス６７内には、ハウス６７内の温度と、湿度と、ＣＯ２とを自動制御する環境自動制御装置３３を備えることを特徴とする縦型水耕栽培植物工場統合管理システム。
【請求項７】
請求項１〜６のいずれかに記載の縦型水耕栽培植物工場統合管理システムにおいて、
前記植物工場施設６１には、ポンプ３１ａ、３２ａを介して養液収容タンク３に接続された高濃度養液タンク３１と水タンク３２と、養液センサー６８で検出されるＰＨ値に基づいて高濃度養液タンク３１と水タンク３２から養液収容タンク３への供給量を制御して養液収容タンク３内の養液濃度を自動管理する自動養液管理装置３４を備えることを特徴とする縦型水耕栽培植物工場統合管理システム。
【請求項８】
請求項１〜７のいずれか１項に記載の縦型水耕栽培植物工場統合管理システムにおいて、
前記培地２は、保水性シート２１とその両面を挟み込んだ通気性素材２２、２３とで構成され、
前記通気性素材２２、２３の上端より突出した保水性シート上端部を少なくとも一方の通気性素材２３の上面に折り曲げ載置され、
前記養液供給手段から養液７を折り曲げ載置された保水性シート２１ａに滴下させるように構成されていることを特徴とする縦型水耕栽培植物工場統合管理システム。
【請求項９】
請求項１〜７のいずれか１項に記載の縦型水耕栽培植物工場統合管理システムにおいて、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置され、
前記保水性シートが折り曲げ載置された通気性素材２３とは反対側の通気性素材２２の上面に別体の保水性シート２４を載置し、その下端部を前記保水性シート２１に接触させた構成とし、
前記養液供給手段４から養液７を折り曲げ載置された保水性シート２１ａ又は別体の保水性シート２４に滴下させるように構成されていることを特徴とする縦型水耕栽培植物工場統合管理システム。
【請求項１０】
請求項１〜７のいずれか１項に記載の縦型水耕栽培植物工場統合管理システムにおいて、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、さらにその先端をもう一方の通気性素材２２の上面側に折り返し載置され、
前記養液供給手段４から養液７を折り返し載置された保水性シート２１ｂに滴下させるように構成されていることを特徴とする縦型水耕栽培植物工場統合管理システム。
【請求項１１】
請求項８〜１０のいずれか１項に記載の縦型水耕栽培植物工場統合管理システムにおいて、
前記折り曲げ又は折り返した保水性シートを外側に行くに連れて高くなる傾斜状に形成されていること特徴とする縦型水耕栽培植物工場統合管理システム。
【請求項１２】
請求項８〜１１のいずれか１項に記載の縦型水耕栽培植物工場統合管理システムにおいて、
前記少なくとも片側の通気性素材の上面に保水性シート２１を中心として外側に行くに連れて高くなる傾斜上面を有する傾斜部材８を備えていることを特徴とする縦型水耕栽培植物工場統合管理システム。
【請求項１３】
請求項８〜１２のいずれか１項に記載の縦型水耕栽培植物工場統合管理システムにおいて、
前記通気性素材の少なくとも片側の上面を保水性シートを中心として外側に行くに連れて高くなる傾斜状に形成されていること特徴とする縦型水耕栽培植物工場統合管理システム。
【請求項１４】
請求項１〜１３のいずれか１項に記載の縦型水耕栽培植物工場統合管理システムにおいて、
前記養液回収手段５は、縦型水耕栽培筒１の下部から滴下する養液７を回収するドレンパン５１を備え、該ドレンパン５１に回収された養液７を養液収容タンク３に循環させるように構成されていることを特徴とする縦型水耕栽培植物工場統合管理システム。
【発明の詳細な説明】
【技術分野】
【０００１】
本発明は、縦型水耕栽培植物工場統合管理システムに関する。
【背景技術】
【０００２】
従来、植物栽培システムとしては、システム全体の運営を司る農園管理会社と、農地を所有する地主と、農地を所定の耕作単位に分割された菜園区画を利用する複数の農園会員と、各菜園区画の植物栽培を代行する農園作業者とから成り、
農園管理会社と農園会員とがインターネットを介して接続されていて、菜園区画の利用に関して農園管理会社と農園会員との間で行う情報の授受をインターネットを介して行うようにした農園会員システムが提案されている。
この農園会員システムでは、各菜園区画を管理する農園管理装置を有し、この農園管理装置にはインターネットを介して農園管理会社と農園会員に接続された遠隔で制御カメラと散水機とをそれぞれ備えている（引用文献１）。
【先行技術文献】
【特許文献】
【０００３】
【特許文献１】特開平２００２−２７９０１７号
【発明の概要】
【発明が解決しようとする課題】
【０００４】
従来のシステムは、上述のように、農園管理会社と、複数の農園会員との間で、インターネットを介して情報の授受を行うほか、各農園会員が遠隔で制御カメラと散水機を遠隔で制御できるようにしたものであるが、地域の異なる複数の植物工場施設をそれぞれ所有する複数の投資家と、各植物工場施設の栽培従事者と、複数の植物工場施設を管理する設備管理者と、複数の植物工場施設の栽培を管理する栽培管理者と、各植物工場施設で栽培された植物を購入する植物購入者とが、同一のデータサーバーに集められた植物工場施設の情報を知りたい部分を切り出し、それぞれが一元管理可能なシステムは従来存在しない。
【０００５】
本発明の解決しようとする課題は、地域の異なる複数の植物工場施設をそれぞれ所有する複数の投資家と、各植物工場施設の栽培従事者と、複数の植物工場施設を管理する設備管理者と、複数の植物工場施設の栽培を管理する栽培管理者と、各植物工場施設で栽培された植物を購入する植物購入者とが、同一のデータサーバーに集められた植物工場施設の情報を知りたい部分を切り出し、それぞれが一元管理可能な縦型水耕栽培植物工場統合管理システムを提供することにある。
【課題を解決するための手段】
【０００６】
上記課題を解決するため請求項１記載の縦型水耕栽培植物工場統合管理システムは、
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、タッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする。
【０００７】
また、請求項２記載の縦型水耕栽培植物工場統合管理システムは、請求項１記載の縦型水耕栽培植物工場統合管理システムにおいて、
前記植物工場施設６１は、ハウス６７の床面積がトラックで輸送可能な広さの長方形状で、現場で二次元幅方向に複数個連結可能であることを特徴とする。
【０００８】
また、請求項３記載の縦型水耕栽培植物工場統合管理システムは、請求項１又は２に記載の縦型水耕栽培植物工場統合管理システムにおいて、
前記栽培従事者６３が入力する植物栽培状況の日報データは、農薬データと、植物生産量と、収穫された農作物の成果価値を示す評価値と、病気情況と、害虫情況と、養液管理状況であることを特徴とする。
【０００９】
また、請求項４記載の縦型水耕栽培植物工場統合管理システムは、請求項１〜３のいずれか１項に記載の縦型水耕栽培植物工場統合管理システムにおいて、
前記養液センサー６９で検出される養液情報は、養液の温度とＥＣ・ＰＨであることを特徴とする。
【００１０】
また、請求項５記載の縦型水耕栽培植物工場統合管理システムは、請求項１〜４のいずれか１項に記載の縦型水耕栽培植物工場統合管理システムにおいて、
前記ハウス内環境センサー７０で検出されるハウス６７内の環境情報は、ハウス６７内の温度と、湿度と、ＣＯ２とであり、ハウス外環境センサー７３で検出されるハウス６７外の環境情報は、日照と、外気温度とであることを特徴とする。
【００１１】
また、請求項６記載の縦型水耕栽培植物工場統合管理システムは、請求項５に記載の縦型水耕栽培植物工場統合管理システムにおいて、
前記植物工場施設６１のハウス６７内には、ハウス６７内の温度と、湿度と、ＣＯ２とを自動制御する環境自動制御装置３３を備えることを特徴とする。
【００１２】
また、請求項７記載の縦型水耕栽培植物工場統合管理システムは、請求項１〜６のいずれかに記載の縦型水耕栽培植物工場統合管理システムにおいて、
前記植物工場施設６１には、ポンプ３１ａ、３２ａを介して養液収容タンク３に接続された高濃度養液タンク３１と水タンク３２と、養液センサー６８で検出されるＰＨ値に基づいて高濃度養液タンク３１と水タンク３２から養液収容タンク３への供給量を制御して養液収容タンク３内の養液濃度を自動管理する自動養液管理装置３４を備えることを特徴とする。
【００１３】
また、請求項８記載の縦型水耕栽培植物工場統合管理システムは、請求項１〜７のいずれか１項に記載の縦型水耕栽培植物工場統合管理システムにおいて、
前記培地２は、保水性シート２１とその両面を挟み込んだ通気性素材２２、２３とで構成され、
前記通気性素材２２、２３の上端より突出した保水性シート上端部を少なくとも一方の通気性素材２３の上面に折り曲げ載置され、
前記養液供給手段から養液７を折り曲げ載置された保水性シート２１ａに滴下させるように構成されていることを特徴とする。
【００１４】
また、請求項９記載の縦型水耕栽培植物工場統合管理システムは、請求項１〜７のいずれか１項に記載の縦型水耕栽培植物工場統合管理システムにおいて、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置され、
前記保水性シートが折り曲げ載置された通気性素材２３とは反対側の通気性素材２２の上面に別体の保水性シート２４を載置し、その下端部を前記保水性シート２１に接触させた構成とし、
前記養液供給手段４から養液７を折り曲げ載置された保水性シート２１ａ又は別体の保水性シート２４に滴下させるように構成されていることを特徴とする。
【００１５】
また、請求項１０記載の縦型水耕栽培植物工場統合管理システムは、請求項１〜７のいずれか１項に記載の縦型水耕栽培植物工場統合管理システムにおいて、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、さらにその先端をもう一方の通気性素材２２の上面側に折り返し載置され、
前記養液供給手段４から養液７を折り返し載置された保水性シート２１ｂに滴下させるように構成されていることを特徴とする。
【００１６】
また、請求項１１記載の縦型水耕栽培植物工場統合管理システムは、請求項８〜１０のいずれか１項に記載の縦型水耕栽培植物工場統合管理システムにおいて、
前記折り曲げ又は折り返した保水性シートを外側に行くに連れて高くなる傾斜状に形成されていること特徴とする。
【００１７】
また、請求項１２記載の縦型水耕栽培植物工場統合管理システムは、請求項８〜１１のいずれか１項に記載の縦型水耕栽培植物工場統合管理システムにおいて、
前記少なくとも片側の通気性素材の上面に保水性シート２１を中心として外側に行くに連れて高くなる傾斜上面を有する傾斜部材８を備えていることを特徴とする。
【００１８】
また、請求項１３記載の縦型水耕栽培植物工場統合管理システムは、請求項８〜１２のいずれか１項に記載の縦型水耕栽培植物工場統合管理システムにおいて、
前記通気性素材の少なくとも片側の上面を保水性シートを中心として外側に行くに連れて高くなる傾斜状に形成されていること特徴とする。
【００１９】
また、請求項１４記載の縦型水耕栽培植物工場統合管理システムは、請求項１〜１３のいずれか１項に記載の縦型水耕栽培植物工場統合管理システムにおいて、
前記養液回収手段５は、縦型水耕栽培筒１の下部から滴下する養液７を回収するドレンパン５１を備え、該ドレンパン５１に回収された養液７を養液収容タンク３に循環させるように構成されていることを特徴とする。
【発明の効果】
【００２０】
請求項１記載の縦型水耕栽培植物工場統合管理システムでは、上述のように構成されるので、以下に述べるような効果が得られる。
【００２１】
栽培管理者６４には、インターネットＮを介して複数の植物工場施設６１から送信される養液情報と、ハウス内環境情報と、ハウス内映像と、ハウス外環境情報と、日報データとを受信する栽培関連データサーバー７４を備えることで、複数の植物工場施設６１の植物栽培状況をリアルタイムに把握し、一元管理することができる。
また、栽培管理者６４、は栽培関連データを元に栽培従事者６３へのアドバイス等をインターネットＮを介してタッチパネル式入力端子７２へ送ることができるので、栽培従事者６３は、専門的知識がなくても植物栽培に従事することができ、これにより栽培管理者６４の生産管理を省力化することができる。
また、培管理者６４は、栽培関連データサーバー７４で受信された養液情報とハウス内環境情報に基づき、インターネットＮを介して植物工場施設６１における養液とハウス内環境の数値を遠隔で制御可能であるため、栽培従事者６３が不在であっても最適な栽培環境を維持することができる。
また、各植物工場施設の植物購入者６６はモニター付き端末装置６８ｃからインターネットＮを介して栽培状況をみることができるため、購入植物の品質を担保することができる。また、ハウス内映像を見せることで、消費者に安心・安全を伝えることができる。
また、植物購入者６６は、ネットワークカメラ７１で撮影されたハウス内映像を消費者に見せることが可能となるため、よりリアルに生産状況を消費者に見せる事が出来、より、安心・安全の付加価値を提供することができる。
【００２２】
また、設備管理者６５には、インターネットＮを介して複数の植物工場施設６１から送信される養液センサー６９で検出される養液情報と、ハウス内環境センサー７０で検出されるハウス内環境情報と、ハウス外環境センサー７３で検出されるハウス外環境情報とを受信する設備関連データサーバー７５を備えることで、この設備関連データから各センサー類の異常を監視することができ、異常を感知すると栽培従事者６３に連絡することで栽培リスクを初期段階での低いリスクにて抑えることができるようになる。また、センサー類のメンテナンス時期を的確に把握でき、メンテナンスコストの大幅な削減により、植物工場施設運営を効率よく行えるようになる。
【００２３】
また、投資家６２はモニター付き端末装置６８ａからインターネットＮを介して設備関連データサーバー７５にアクセスすることにより、設備利用状況や、縦型水耕栽培植物工場統合管理システムの安全性を常に確認可能となり、設備メンテナンスの指示等を栽培管理者６４に容易に知らせる事が可能となる。
また、このモデルは投資家６２と植物物購入者６６が同一人物である可能性もあるため、栽培従事者６３や栽培管理者６４を監視、管理する事は大変重要な事となり、成果物と設備の関連性が高いことからこういった情報共有は大変重要である。
【００２４】
以上説明したように、この発明によれば、栽培従事者６３をインターネットＮを介して栽培管理者６４、設備管理者６５、植物購入者６６と結び一元化することにより、作業の分担及び専門知識の分散化（知的労働の分散化）が可能となり、専門知識が必要な植物栽培をより簡素化することができるようになる。
【００２５】
請求項２記載の縦型水耕栽培植物工場統合管理システムでは、上述のように、植物工場施設６１は、ハウス６１の床面積がトラックで輸送可能な広さの長方形状で、現場で二次元幅方向に複数個連結可能であるため、現場で任意の広さの植物工場施設を簡単に設置することができるようになる。
【００２６】
請求項６記載の縦型水耕栽培植物工場統合管理システムでは、上述のように、植物工場施設６１のハウス６７内には、ハウス６７内の温度と、湿度と、ＣＯ２とを自動制御する環境自動制御装置３３を備えることで、栽培従事者６３はその他の作業に集中する環境を手に入れることができるようになる。
【００２７】
請求項７記載の縦型水耕栽培植物工場統合管理システムでは、上述のように、自動養液管理装置３４を備えることで、栽培従事者６３はその他の作業に集中する環境を手に入れることができるようになる。
【００２８】
請求項８記載の縦型水耕栽培システムでは、上述のように、縦型水耕栽培筒１内に抜き差し可能に収容した培地２を、植物の苗６を植え込む保水性シート２１と、その両面を挟み込んだ通気性素材２２、２３とで構成し、養液を保水性シート２１上端部に滴下させるようにしたことで、保水性シート２１と通気性素材２２、２３との間に挟み込んだ植物の苗６の根に確実に酸素が供給されるため、栽培植物の根腐れを防止することができる。
【００２９】
また、培地２として保水性シート２１と通気性素材２２、２３の２部構成にし、役割分担することにより、保水性は低いが通気性に優れて安価なものや供給容易なもの・通気性は低いが保水性に優れて安価なものや供給容易なものであれば広く使用でき、材料の選択の幅を広げることができる。
また、重量が軽い、壊れにくいものなどを選択することにより、使い易さ等の性能を向上させることができる。
【００３０】
また、単に保水性シート２１を通気性素材２２、２３に挟んだだけでは供給した養液の一部のみしか保水性シート２１に到達せず、通気性素材２２、２３の空隙部分から多くは失われるため、多量の養液７を供給しなければ植物の育成に不十分だったが、それに対し、本発明では、通気性素材２２、２３の上面に保水性シート２１の端部を配置することにより、養液７を保水性シート２１に効果的に集めることができるので、養液７の落下位置のバラツキが大きい養液供給手段４を用いたとしても少ない養液７の供給で植物を栽培することができる。従って、養液７の供給又は循環に用いられるポンプとして容量の小さなポンプの使用が可能になり、これにより、設備費及びランニングコストの低減が可能になる。
【００３１】
請求項９記載の縦型水耕栽培システムでは、上述のように、養液供給手段４から養液を折り曲げ載置された保水性シート２１ａ又は別体の保水性シート２４に滴下させることで、養液７を保水性シート２１に集中的に供給することができるようになる。
【００３２】
請求項１０記載の縦型水耕栽培システムでは、上述のように、養液供給手段４から養液７を折り返し載置された保水性シート２１ｂに滴下させることで、養液７を保水性シート２１に集中的に供給することができるようになる。
【００３３】
請求項１１記載の縦型水耕栽培植物工場統合管理システムでは、上述のように、折り曲げ又は折り返した保水性シート２１ａ、２１ｂ上面を外側に行くに連れて高くなる傾斜状に形成することにより、折り曲げ又は折り返した保水性シート２１ａ、２１ｂ、又は別体の保水性シート２４に滴下した養液７の外部への飛び跳ねを防止すると共に、保水性シート２１に滴下された養液７の通気性素材２２、２３への漏れや蒸発を防止してより効率的に養液を活用することができるようになる。
【００３４】
請求項１２記載の縦型水耕栽培植物工場統合管理システムでは、上述のように前記両通水性素材２２、２３の上面に保水性シート２１を中心として外側に行くに連れて高くなる傾斜上面を有する傾斜部材８を備えることで、養液７を保水性シート２１に集中的に供給することができるようになる。
【００３５】
請求項１３記載の縦型水耕栽培植物工場統合管理システムでは、上述のように、前記通気性素材２２、２３の少なくとも片側の上面を、保水性シート２１を中心として外側に行くに連れて高くなる傾斜状に形成することにより、養液７を保水性シート２１に集中的に供給することができるようになる。
【図面の簡単な説明】
【００３６】
【図１】実施例１の縦型水耕栽培植物工場統合管理システムを示すブロック図である。
【図２】実施例１の縦型水耕栽培施設を示す説明図である、
【図３】実施例１の縦型水耕栽培施設システムを示す説明図である。
【図４】図３のＡ−Ａ線における拡大横断断面図である。
【図５】実施例１の培地を示す要部拡大正面図である。
【図６】実施例２の培地を示す要部拡大正面図である。
【図７】実施例３の培地を示す要部拡大正面図である。
【図８】実施例４の縦型水耕栽培システムを示す(a)、(b)、(c)３タイプの要部拡大正面図である。
【図９】実施例５の傾斜部材を示す斜視図である。
【発明を実施するための形態】
【００３７】
以下にこの発明の実施例を図面に基づいて説明する。
【実施例１】
【００３８】
まず、この実施例１の縦型水耕栽培植物工場統合管理システムを図１〜５に基づいて説明する。
この実施例１の縦型水耕栽培植物工場統合管理システムは、図１、２に示すように、植物工場施設６１と、植物工場施設を所有する複数の投資家６２と、複数の植物工場施設の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムである。
【００３９】
さらに詳述すると、前記植物工場施設６１は、図２〜５に示すように、太陽光を受光するハウス６７と、複数の縦型水耕栽培筒１と、培地２と、養液収容タンク３と、養液供給手段４と、養液回収手段５と、養液情報（養液の温度・ＰＨ）を測定する養液センサー６９と、ハウス内の環境情報（ハウス６７内の温度・湿度・ＣＯ２）を測定するハウス内環境センサー７０と、ハウス内映像を撮影するネットワークカメラ７１と、植物栽培状況の日報データ（農薬データ・植物生産量・収穫された農作物の成果価値を示す評価値・病気情況・害虫情況・養液管理状況の数値及び写真）を入力するタッチパネル式入力端子７２と、ハウス外の環境情報（日照・外気温度）を測定するハウス外環境センサー７３と、環境自動制御装置３３と、自動養液管理装置３４と、を主な構成として備えている。
【００４０】
また、前記植物工場施設６１は、ハウス６７の床面積がトラックで輸送可能な広さの長方形状で、現場で二次元幅方向に複数個連結可能で、任意の広さに設定可能である。
【００４１】
前記縦型水耕栽培筒１は、断面方形の筒状で、その一側面に植物の苗６を植え込むための垂直方向のスリット１１を備え、ハウス６７の天井に吊るし又は床面に立設した状態で備えられている。
【００４２】
前記培地２は、保水性シート２１と、その両面を挟み込んだ通気性素材２２、２３と、で構成され、縦型水耕栽培筒１内に抜き差し可能に差込収容されている。
【００４３】
また、保水性シート２１の上端部を通気性素材２２、２３の上端より突出させて、一方の通気性素材２３の上面に折り曲げ載置し、養液供給手段４から養液７を折り曲げ載置された保水性シート２１ａに滴下させるように構成されている。
【００４４】
前記養液供給手段４は、養液供給ポンプ４１を備え、養液収容タンク３から培地２における折り曲げ載置された保水性シート２１ａの上端部に養液７を滴下させる。この養液７の滴下量としては、保水性シート２１の下端部の水分量が飽和状態に維持される程度でよい。
【００４５】
前記自動養液管理装置３４は、図３に示すように、ポンプ３１ａ、３２ａを介して養液収容タンク３に接続された高濃度養液タンク３１と水タンク３２と、養液センサー６８で検出されるＰＨ値に基づいて高濃度養液タンク３１と水タンク３２から養液収容タンク３への供給量を制御して養液収容タンク３内の養液濃度を自動管理する。
【００４６】
前記養液回収手段５は、保水性シート２１の下端部から滴下する養液７を受け止めるドレンパン５１と、養液回収ポンプ５２とを備え、ドレンパン５１に溜まった養液７を養液回収循環ポンプ５２で養液収容タンク３に回収循環させる。
【００４７】
前記環境自動制御装置３３は、ハウス６７内の温度と、湿度と、ＣＯ２を自動制御するもので、温度を制御する空調設備３３ａと、湿度を調整する除湿装置３３ｂと、ＣＯ２発生装置３３ｃとを備えている。
なお、図２において８２は送風ファンを示す。
【００４８】
次に、複数の植物工場施設６１と、複数の投資家６２と、複数の栽培従事者６３と、栽培管理者６４と、設備管理者６５と、複数の植物購入者６６との間でインターネットＮを介して行われる縦型水耕栽培植物工場統合管理システムを図１、２に基づいて説明する。
【００４９】
前記複数の投資家６２と、栽培管理者６４と、設備管理者６５と、複数の植物購入者６６には、それぞれブロードバンドルーター７６ａ、７６ｂ、７６ｃ、７６ｄ及び回線終端装置７７ａ、７７ｂ、７７ｃ、７７ｄを介してインターネットＮに接続されたモニター付き端末装置６８ａ、６８ｂ、６８ｃを備えている。
また、栽培管理者６４には、光対応機器７８及び回線終端装置７７ｂを介してインターネットＮに接続された通話装置７９を備えている。
【００５０】
前記複数の植物工場施設６１ごとの植物栽培に従事する栽培従事者６３は、記憶装置を備えたタッチパネル式入力端子７２に植物栽培状況の日報データを入力する。
タッチパネル式入力端子７２には日報データの履歴状況を記憶する記憶装置を備え、栽培従事者６３は、いつでも履歴を検索することができる。
また、栽培従事者６３は、報告レベルを５段階に振り分けして入力する。
【００５１】
前記各植物工場施設６１における養液センサー６９で検出される養液情報と、ハウス内環境センサー７０で検出されるハウス内環境情報と、ネットワークカメラ７１で撮影されるハウス内映像は、回線終端装置７７ｅを介してインターネットＮに接続されると共に、マイクロコンピューター８０に送信され、半導体記憶装置８１に格納される。なお、この半導体記憶装置８１は、データの読み出しと書き込みが可能なメモリが主体となって構成されており、マイクロコンピューター８０に内蔵されていてもよい。また、半導体記憶装置８１は、ハードディスク装置で代用されてもよい。
また、ハウス外環境センサー７３で検出されるハウス外環境情報は、回線終端装置７７ｆを介してインターネットＮに接続されている。
また、タッチパネル式入力端子７２に入力される日報データは、インターネットＮに接続されている。
【００５２】
また、前記栽培管理者６４には、インターネットＮを介して複数の植物工場施設６１から送信される養液情報と、ハウス内環境情報と、ハウス内映像と、ハウス外環境情報と、日報データとを受信する栽培関連データサーバー７４を備え、前記植物購入者６６はモニター付き端末装置６８ｄからインターネットＮを介して栽培関連データサーバー７４にアクセスすることができるようになっている。
【００５３】
また、前記栽培管理者６４は、栽培関連データサーバー７４で受信された養液情報とハウス内環境情報に基づき、インターネットＮを介して環境自動制御装置３３におけるハウス内環境の設定数値及び自動養液管理装置４４における養液の設定数値を遠隔で制御可能に構成されている。
【００５４】
また、前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるようになっている。
【００５５】
次に、この実施例１の作用を説明する。
【００５６】
この実施例１の縦型水耕栽培植物工場統合管理システムでは、上述のように構成されるため、図４、５に示すように、保水性シート２１と通気性素材２２又は２３との間に複数の植物の苗６を挟み込んだ状態で培地２を縦型水耕栽培筒１の中に差込装着し、養液供給ポンプ４１で養液７を折り曲げ載置された保水性シート２１ａの上端部に滴下させると、苗６は保水性シート２１から養液７を吸収して成長する。
【００５７】
次に、従来例と本実施例との栽培比較実験例について説明する。
１．本実施例：厚さ４．８cm、幅１０cm、長さ１５０cm  の通気性素材(ポリエチレン)を半分の長さで２枚に折り畳み、その間に、厚さ１mm、幅９cm、長さ７０ｃmのポリエステルフェルト（保水性シート）を挟み込み、フェルトの上端部５ｃmをポリエチレンンの上端より突出させ、その突出部をポリエチレンの上面に折り曲げ載置した状態で、断面の一辺が１０cmの正方形で、その一辺にスリットを有する縦型水耕栽培筒に差し込んだ状態。
２．比較例１：フェルトの上端部をポリエチレンの上端より上部に突出させない状態。
３．比較例２：培地がフェルトを含まないポリエチレンのみの状態。
これら上記３種の縦型水耕栽培筒に対し、バジル苗の定植を行った。
苗は９cmのポットに植わっている、草丈７〜１０cmのものを用い、水道水で根から土を洗い落とした後、ポリエチレンとフェルトとの間（比較例２の場合は両ポリエチレン相互間）にバジル苗の地下部を挟み込み、縦型水耕栽培筒に差込装着した。
肥料養液（ＯＡＴハウス１号を濃度0.8ｇ/Ｌとなるように溶解した水溶液）を毎分20ｇの速度で滴下しながら３日間太陽光下で栽培を行った。
【００５８】
比較実験結果
実施例：６苗中６苗全てが順調に生育した。
比較例１：６苗中２苗は生育を続けたが、４苗が枯れた。
比較例２：６苗中１苗は生育を続けたが、５苗が枯れた。
【００５９】
次に、この実施例１の効果を説明する。
【００６０】
この実施例１の縦型水耕栽培植物工場統合管理システムでは、上述のように構成されるので、以下に述べるような効果が得られる。
【００６１】
栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備えることで、複数の植物工場施設６１の植物栽培状況をリアルタイムに把握し、一元管理することができる。
【００６２】
また、植物工場施設６１のハウス６７内には、ハウス６７内の温度と、湿度と、ＣＯ２とを自動制御する環境自動制御装置３３と、自動養液管理装置３４を備えることで、栽培従事者６３はその他の作業に集中する環境を手に入れることができるようになる。
【００６３】
また、前記栽培管理者６４は、栽培関連データサーバー７４で受信された養液情報とハウス内環境情報に基づき、インターネットＮを介して環境自動制御装置３３における養液の設定数値及び自動養液管理装置４４におけるハウス内環境の設定数値を遠隔で制御可能に構成されているため、栽培従事者６３が不在であっても最適な栽培環境を維持することができる。
【００６４】
また、栽培管理者６４、は栽培関連データを元に栽培従事者６３へのアドバイス等をインターネットＮを介してタッチパネル式入力端子７２へ送ることができるので、栽培従事者６３は、専門的知識がなくても植物栽培に従事することができ、これにより栽培管理者６４の生産管理を省力化することができる。
【００６５】
また、各植物工場施設の植物購入者６６はモニター付き端末装置６８ｃからインターネットＮを介して栽培状況をみることができるため、購入植物の品質を担保することができる。また、ハウス内映像を見せることで、消費者に安心・安全を伝えることができる。
また、植物購入者６６は、ネットワークカメラ７１で撮影されたハウス内映像を消費者に見せることが可能となるため、よりリアルに生産状況を消費者に見せる事が出来、より、安心・安全の付加価値を提供することができる。
【００６６】
また、設備管理者６５には、インターネットＮを介して複数の植物工場施設から送信される養液センサー６９で検出される養液情報と、ハウス内環境センサー７０で検出されるハウス内環境情報と、ハウス外環境センサー７３で検出されるハウス外環境情報とを受信する設備関連データサーバー７５を備えることで、この設備関連データから各センサー類の異常を監視することができ、異常を感知すると栽培従事者６３に連絡することで栽培リスクを初期段階での低いリスクにて抑えることができるようになる。また、センサー類のメンテナンス時期を的確に把握でき、メンテナンスコストの大幅な削減により、植物工場施設運営を効率よく行えるようになる。
【００６７】
また、投資家６２はモニター付き端末装置６８ａからインターネットＮを介して設備関連データサーバー７５にアクセスすることにより、設備利用状況や、縦型水耕栽培植物工場統合管理システムの安全性を常に確認可能となり、設備メンテナンスの指示等を栽培管理者６４に容易に知らせる事が可能となる。
また、このモデルは投資家６２と植物物購入者６６が同一人物である可能性もあるため、栽培従事者６３や栽培管理者６４を監視、管理する事は大変重要な事となり、成果物と設備の関連性が高いことからこういった情報共有は大変重要である。
【００６８】
また、栽培従事者６３は、タッチパネル式入力端子７２の記憶装置に記憶された栽培データ履歴を容易に検索可能である為、過去の成功事例を応用し、栽培を最適化する事が可能になる。
【００６９】
また、栽培従事者６３をインターネットＮを介して栽培管理者６４、設備管理者６５、植物購入者６６と結び一元化することにより、作業の分担及び専門知識の分散化（知的労働の分散化）が可能となり、専門知識が必要な植物栽培をより簡素化することができるようになる。
【００７０】
また、植物工場施設６１は、ハウス６１の床面積がトラックで輸送可能な広さの長方形状で、現場で二次元幅方向に複数個連結可能であるため、現場で任意の広さの植物工場施設を簡単に設置することができるようになる。
【００７１】
また、縦型水耕栽培筒１内に抜き差し可能に収容した培地２を、植物の苗６を植え込む保水性シート２１と、その両面を挟み込んだ通気性素材２２、２３とで構成し、養液を保水性シート２１上端部に滴下させるようにしたことで、保水性シート２１と通気性素材２２、２３との間に挟み込んだ植物の苗６の根に確実に酸素が供給されるため、栽培植物の根腐れを防止することができる。
【００７２】
また、培地２として保水性シート２１と通気性素材２２、２３の２部構成にし、役割分担することにより、保水性は低いが通気性に優れて安価なものや供給容易なもの・通気性は低いが保水性に優れて安価なものや供給容易なものであれば広く使用でき、材料の選択の幅を広げることができる。
また、重量が軽い、壊れにくいものなどを選択することにより、使い易さ等の性能を向上させることができる。
【００７３】
また、単に保水性シート２１を通気性素材２２、２３に挟んだだけでは供給した養液の一部のみしか保水性シート２１に到達せず、通気性素材２２、２３の空隙部分から多くは失われるため、多量の養液７を供給しなければ植物の育成に不十分だったが、それに対し、本発明では、通気性素材２２、２３の上面に保水性シート２１の端部を配置することにより、養液７を保水性シート２１に効果的に集めることができるので、養液７の落下位置のバラツキが大きい養液供給手段４を用いたとしても少ない養液７の供給で植物を栽培することができる。従って、養液７の供給又は循環に用いられるポンプとして容量の小さなポンプの使用が可能になり、これにより、設備費及びランニングコストの低減が可能になる。
【００７４】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００７５】
この実施例２の縦型水耕栽培植物工場統合管理システムは、図６に示すように、前記実施例１における保水性シート２が折り曲げ載置された通気性素材２３とは反対側の通気性素材２２の上面に別体の保水性シート２４を載置し、その下端部を前記保水性シート２１と通気性素材２２との間に挟み込むことによりに保水性シート２１に接触させた構成とし、養液供給手段４から養液７を折り曲げ載置された保水性シート２１ａ又は別体の保水性シート２４に滴下させるように構成されている点で、前記実施例１とは相違したものである。
従って、この実施例２によれば、養液供給手段４から養液７を折り曲げ載置された保水性シート２１ａ又は別体の保水性シート２４に滴下させることで、養液７を保水性シート２１に集中的に供給することができるようになる。
また、両通気性素材２２、２３の上面を保水性シート２１を中心として外側に行くに連れて高くなる傾斜状に形成することにより、折り曲げ載置された保水性シート２１ａ、又は別体の保水性シート２４に滴下した養液７の外部への飛び跳ねを防止すると共に、保水性シート２１に滴下された養液７の通気性素材２２、２３への漏れや蒸発を防止してより効率的に養液７を活用することができるようになる。
【実施例３】
【００７６】
この実施例３の縦型水耕栽培植物工場統合管理システムは、図７に示すように、実施例１における保水性シート２１の上端部を一方の通気性素材２３の上面に折り曲げ載置した保水性シート２１ａの先端部さらにもう一方の通気性素材２２の上面側に折り返し載置し、養液供給手段４から養液７を折り返し載置された保水性シート２１ｂに滴下させるように構成されている点で、前記実施例１とは相違したものである。
従って、この実施例３によれば、養液供給手段４から養液７を折り返し載置された保水性シート２１ｂに滴下させることで、養液７を保水性シート２１に集中的に供給することができるようになる。
また、両通気性素材２２、２３の上面を保水性シート２１を中心として外側に行くに連れて高くなる傾斜状に形成することにより、折り返し載置された保水性シート２１ｂに滴下した養液７の外部への飛び跳ねを防止すると共に、保水性シート２１ｂに滴下された養液７の通気性素材２２、２３への漏れや蒸発を防止してより効率的に養液７を活用することができるようになる。
【実施例４】
【００７７】
この実施例４の縦型水耕栽培植物工場統合管理システムは、図８の（ａ）、（ｂ）、（ｃ）、及び図７に示すように、前記両通水性素材の２２、２３上面に保水性シート２１を中心として外側に行くに連れて高くなる傾斜上面を有する断面略直角三角形の傾斜部材８を備えた点で、前記実施例１〜３とは相違したものである。
従って、この実施例４によれば、養液供給手段４から折り曲げた保水性シート２１ａ（別体の保水性シート２４、折り返した保水性シート２１ｂ）に滴下した養液７の外部への飛び跳ねを防止し、保水性シート２１に集中的に供給することができ、これにより、折り曲げた保水性シート２１ａ（別体の保水性シート２４、折り返した保水性シート２１ｂ）に滴下された養液７の通気性素材２２、２３への漏れや蒸発を防止してより効率的に養液７を活用することができるようになる。
なお、傾斜部材８の素材は任意であるが、少なくとも傾斜上面は通水性を有しない素材で構成されていることが望ましい。
また、傾斜部材８の形状は、傾斜上面を形成するならば、断面は略直角三角形に限らず、任意である。また、傾斜部材８の傾斜上面は直線に限らず、その他に例えば凹曲面にしてもよい。
【実施例５】
【００７８】
この実施例５の縦型水耕栽培植物工場統合管理システムは、図９に示すように、少なくとも片側の通気性素材の上面に保水性シート２１を中心として外側に行くに連れて高くなる傾斜上面を有する傾斜部材８を備えたもので、これにより、養液７を保水性シート２１に集中的に供給することができるようになる。
【００７９】
以上本実施例を説明してきたが、本発明は上述の実施例に限られるものではなく、本発明の要旨を逸脱しない範囲の設計変更等があっても、本発明に含まれる。
【００８０】
例えば、実施例１では縦型水耕栽培筒１を断面略方形としたが、方形以外の筒状でもよい。
【００８１】
また、実施例１では培地２を保水性シート２１と通水性素材２２、２３の２部構成としたが、１種類でもよい。
【符号の説明】
【００８２】
１  縦型水耕栽培筒
１１  スリット
２  培地
２１  保水性シート
２１ａ  折り曲げた保水性シート
２１ｂ  折り返した保水性シート
２２  通気性素材
２３  通気性素材
２４  別体の保水性シート
３  養液収容タンク
３１  高濃度養液タンク
３１ａ  ポンプ
３２  水タンク
３２ａ  ポンプ
３３  環境自動制御装置
３３ａ  空調設備
３３ｂ  除湿装置
３３ｃ  ＣＯ２発生装置
３４  自動養液管理装置
４  養液供給手段
４１  養液供給ポンプ
５  養液回収手段
５１  ドレンパン
５２  養液回収循環ポンプ
６  植物の苗
７  養液
８  傾斜部材
６１  植物工場設備
６２  投資家
６３  栽培従事者
６４  栽培管理者
６５  設備管理者
６６  植物購入者
６７  ハウス
６８ａ  モニター付き端末装置
６８ｂ  モニター付き端末装置
６８ｃ  モニター付き端末装置
６８ｄ  モニター付き端末装置
６９  養液センサー
７０  ハウス内環境センサー
７１  ネットワークカメラ
７２  タッチパネル式入力端末
７３  ハウス外環境センサー
７４  栽培関連データサーバー
７５  設備関連データサーバー
７６ａ  ブロードバンドルーター
７６ｂ  ブロードバンドルーター
７６ｃ  ブロードバンドルーター
７７ａ  回線終端装置
７７ｂ  回線終端装置
７７ｃ  回線終端装置
７７ｄ  回線終端装置
７７ｅ  回線終端装置
７７ｆ  回線終端装置
７８  光対応機器
７９  通話装置
８０  マイクロコンピューター
８１  半導体記憶装置
８２  送風ファン
【図１】
2018195148.tif 000003
【図２】
2018195148.tif 000004
【図３】
2018195148.tif 000005
【図４】
2018195148.tif 000006
【図５】
2018195148.tif 000007
【図６】
2018195148.tif 000008
【図７】
2018195148.tif 000009
【図８】
2018195148.tif 000010
【図９】
2018195148.tif 000011
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を少なくとも一方の通気性素材２３の上面に折り曲げ載置し、
前記養液供給手段から養液７を折り曲げ載置された保水性シート２１ａに滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする縦型水耕栽培植物工場統合管理システム。
【請求項２】
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、
前記保水性シートが折り曲げ載置された通気性素材２３とは反対側の通気性素材２２の上面に別体の保水性シート２４を載置し、その下端部を前記保水性シート２１に接触させた構成とし、
前記養液供給手段４から養液７を折り曲げ載置された保水性シート２１ａ又は別体の保水性シート２４に滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする縦型水耕栽培植物工場統合管理システム。
【請求項３】
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、さらにその先端をもう一方の通気性素材２２の上面側に折り返し載置し、
前記養液供給手段４から養液７を折り返し載置された保水性シート２１ｂに滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする縦型水耕栽培植物工場統合管理システム。
【請求項４】
請求項１〜３のいずれか１項に記載の縦型水耕栽培植物工場統合管理システムにおいて、
前記植物工場施設６１は、ハウス６７の床面積がトラックで輸送可能な広さの長方形状で、現場で長方形状の幅方向に複数個連結可能であることを特徴とする縦型水耕栽培植物工場統合管理システム。
【請求項５】
請求項１〜４のいずれか１項に記載の縦型水耕栽培植物工場統合管理システムにおいて、
前記栽培従事者６３が入力する植物栽培状況の日報データは、農薬データと、植物生産量と、収穫された農作物の成果価値を示す評価値と、病気情況と、害虫情況と、養液管理状況であることを特徴とする縦型水耕栽培植物工場統合管理システム。
【請求項６】
請求項１〜５のいずれか１項に記載の縦型水耕栽培植物工場統合管理システムにおいて、
前記養液センサー６９で検出される養液情報は、養液の温度とＥＣ・ＰＨであることを特徴とする縦型水耕栽培植物工場統合管理システム。
【請求項７】
請求項１〜６のいずれか１項に記載の縦型水耕栽培植物工場統合管理システムにおいて、
前記ハウス内環境センサー７０で検出されるハウス６７内の環境情報は、ハウス６７内の温度と、湿度と、ＣＯ２とであり、ハウス外環境センサー７３で検出されるハウス６７外の環境情報は、日照と、外気温度とであることを特徴とする縦型水耕栽培植物工場統合管理システム。
【請求項８】
請求項７に記載の縦型水耕栽培植物工場統合管理システムにおいて、
前記植物工場施設６１のハウス６７内には、ハウス６７内の温度と、湿度と、ＣＯ２とを自動制御する環境自動制御装置３３を備えることを特徴とする縦型水耕栽培植物工場統合管理システム。
【請求項９】
請求項１〜８のいずれか１項に記載の縦型水耕栽培植物工場統合管理システムにおいて、
前記植物工場施設６１には、ポンプ３１ａ、３２ａを介して養液収容タンク３に接続された高濃度養液タンク３１と水タンク３２と、養液センサー６８で検出されるＰＨ値に基づいて高濃度養液タンク３１と水タンク３２から養液収容タンク３への供給量を制御して養液収容タンク３内の養液濃度を自動管理する自動養液管理装置３４を備えることを特徴とする縦型水耕栽培植物工場統合管理システム。
【請求項１０】
請求項１〜９のいずれか１項に記載の縦型水耕栽培植物工場統合管理システムにおいて、
前記折り曲げ又は折り返し載置された前記保水性シートは、該保水性シートの外側に行くに連れて高くなる傾斜状に形成されていること特徴とする縦型水耕栽培植物工場統合管理システム。
【請求項１１】
請求項１〜１０のいずれか１項に記載の縦型水耕栽培植物工場統合管理システムにおいて、
前記少なくとも片側の前記通気性素材の上面に保水性シート２１を中心として外側に行くに連れて高くなる傾斜上面を有する傾斜部材８を備えていることを特徴とする縦型水耕栽培植物工場統合管理システム。
【請求項１２】
請求項１〜１１のいずれか１項に記載の縦型水耕栽培植物工場統合管理システムにおいて、
前記通気性素材の少なくとも片側の上面が保水性シートを中心として外側に行くに連れて高くなる傾斜状に形成されていること特徴とする縦型水耕栽培植物工場統合管理システム。
【請求項１３】
請求項１〜１２のいずれか１項に記載の縦型水耕栽培植物工場統合管理システムにおいて、
前記養液回収手段５は、縦型水耕栽培筒１の下部から滴下する養液７を回収するドレンパン５１を備え、該ドレンパン５１に回収された養液７を養液収容タンク３に循環させるように構成されていることを特徴とする縦型水耕栽培植物工場統合管理システム。
【手続補正２】
【補正対象書類名】明細書
【補正対象項目名】０００６
【補正方法】変更
【補正の内容】
【０００６】
上記課題を解決するため請求項１記載の縦型水耕栽培植物工場統合管理システムは、
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を少なくとも一方の通気性素材２３の上面に折り曲げ載置し、
前記養液供給手段から養液７を折り曲げ載置された保水性シート２１ａに滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、タッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする。
【手続補正３】
【補正対象書類名】明細書
【補正対象項目名】０００７
【補正方法】変更
【補正の内容】
【０００７】
また、請求項２記載の縦型水耕栽培植物工場統合管理システムは、
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、
前記保水性シートが折り曲げ載置された通気性素材２３とは反対側の通気性素材２２の上面に別体の保水性シート２４を載置し、その下端部を前記保水性シート２１に接触させた構成とし、
前記養液供給手段４から養液７を折り曲げ載置された保水性シート２１ａ又は別体の保水性シート２４に滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする。
【手続補正４】
【補正対象書類名】明細書
【補正対象項目名】０００８
【補正方法】変更
【補正の内容】
【０００８】
また、請求項３記載の縦型水耕栽培植物工場統合管理システムは、
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、さらにその先端をもう一方の通気性素材２２の上面側に折り返し載置し、
前記養液供給手段４から養液７を折り返し載置された保水性シート２１ｂに滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする。
【手続補正５】
【補正対象書類名】明細書
【補正対象項目名】０００９
【補正方法】変更
【補正の内容】
【０００９】
また、請求項４記載の縦型水耕栽培植物工場統合管理システムは、請求項１〜３のいずれか１項に記載の縦型水耕栽培植物工場統合管理システムにおいて、
前記植物工場施設６１は、ハウス６７の床面積がトラックで輸送可能な広さの長方形状で、現場で長方形状の幅方向に複数個連結可能であることを特徴とする。
【手続補正６】
【補正対象書類名】明細書
【補正対象項目名】００１０
【補正方法】変更
【補正の内容】
【００１０】
また、請求項５記載の縦型水耕栽培植物工場統合管理システムは、請求項１〜４のいずれか１項に記載の縦型水耕栽培植物工場統合管理システムにおいて、
前記栽培従事者６３が入力する植物栽培状況の日報データは、農薬データと、植物生産量と、収穫された農作物の成果価値を示す評価値と、病気情況と、害虫情況と、養液管理状況であることを特徴とする。
【手続補正７】
【補正対象書類名】明細書
【補正対象項目名】００１１
【補正方法】変更
【補正の内容】
【００１１】
また、請求項６記載の縦型水耕栽培植物工場統合管理システムは、請求項１〜５のいずれか１項に記載の縦型水耕栽培植物工場統合管理システムにおいて、
前記養液センサー６９で検出される養液情報は、養液の温度とＥＣ・ＰＨであることを特徴とする。
【手続補正８】
【補正対象書類名】明細書
【補正対象項目名】００１２
【補正方法】変更
【補正の内容】
【００１２】
また、請求項７記載の縦型水耕栽培植物工場統合管理システムは、請求項１〜６のいずれかに記載の縦型水耕栽培植物工場統合管理システムにおいて、
前記ハウス内環境センサー７０で検出されるハウス６７内の環境情報は、ハウス６７内の温度と、湿度と、ＣＯ２とであり、ハウス外環境センサー７３で検出されるハウス６７外の環境情報は、日照と、外気温度とであることを特徴とする。
【手続補正９】
【補正対象書類名】明細書
【補正対象項目名】００１３
【補正方法】変更
【補正の内容】
【００１３】
また、請求項８記載の縦型水耕栽培植物工場統合管理システムは、請求項７に記載の縦型水耕栽培植物工場統合管理システムにおいて、
前記植物工場施設６１のハウス６７内には、ハウス６７内の温度と、湿度と、ＣＯ２とを自動制御する環境自動制御装置３３を備えることを特徴とする。
【手続補正１０】
【補正対象書類名】明細書
【補正対象項目名】００１４
【補正方法】変更
【補正の内容】
【００１４】
また、請求項９記載の縦型水耕栽培植物工場統合管理システムは、請求項１〜８のいずれか１項に記載の縦型水耕栽培植物工場統合管理システムにおいて、
前記植物工場施設６１には、ポンプ３１ａ、３２ａを介して養液収容タンク３に接続された高濃度養液タンク３１と水タンク３２と、養液センサー６８で検出されるＰＨ値に基づいて高濃度養液タンク３１と水タンク３２から養液収容タンク３への供給量を制御して養液収容タンク３内の養液濃度を自動管理する自動養液管理装置３４を備えることを特徴とする。
【手続補正１１】
【補正対象書類名】明細書
【補正対象項目名】００１５
【補正方法】変更
【補正の内容】
【００１５】
また、請求項１０記載の縦型水耕栽培植物工場統合管理システムは、請求項１〜９のいずれか１項に記載の縦型水耕栽培植物工場統合管理システムにおいて、
前記折り曲げ又は折り返し載置された前記保水性シートは、該保水性シートの外側に行くに連れて高くなる傾斜状に形成されていること特徴とする。
【手続補正１２】
【補正対象書類名】明細書
【補正対象項目名】００１６
【補正方法】変更
【補正の内容】
【００１６】
また、請求項１１記載の縦型水耕栽培植物工場統合管理システムは、請求項１〜１０のいずれか１項に記載の縦型水耕栽培植物工場統合管理システムにおいて、
前記少なくとも片側の前記通気性素材の上面に保水性シート２１を中心として外側に行くに連れて高くなる傾斜上面を有する傾斜部材８を備えていることを特徴とする。
【手続補正１３】
【補正対象書類名】明細書
【補正対象項目名】００１７
【補正方法】変更
【補正の内容】
【００１７】
また、請求項１２記載の縦型水耕栽培植物工場統合管理システムは、請求項１〜１１のいずれか１項に記載の縦型水耕栽培植物工場統合管理システムにおいて、
前記通気性素材の少なくとも片側の上面が保水性シートを中心として外側に行くに連れて高くなる傾斜状に形成されていること特徴とする。
【手続補正１４】
【補正対象書類名】明細書
【補正対象項目名】００１８
【補正方法】変更
【補正の内容】
【００１８】
また、請求項１３記載の縦型水耕栽培植物工場統合管理システムは、請求項８〜１２のいずれか１項に記載の縦型水耕栽培植物工場統合管理システムにおいて、
前記養液回収手段５は、縦型水耕栽培筒１の下部から滴下する養液７を回収するドレンパン５１を備え、該ドレンパン５１に回収された養液７を養液収容タンク３に循環させるように構成されていることを特徴とする。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
請求項１〜３に記載の縦型水耕栽培植物工場統合管理システムでは、上述のように構成されるので、以下に述べるような効果が得られる。
【手続補正１７】
【補正対象書類名】明細書
【補正対象項目名】００２３
【補正方法】変更
【補正の内容】
【００２３】
また、投資家６２はモニター付き端末装置６８ａからインターネットＮを介して設備関連データサーバー７５にアクセスすることにより、設備利用状況や、縦型水耕栽培植物工場統合管理システムの安全性を常に確認可能となり、設備メンテナンスの指示等を栽培管理者６４に容易に知らせる事が可能となる。
また、このモデルは投資家６２と植物物購入者６６が同一人物である可能性もあるため、栽培従事者６３や栽培管理者６４を監視、管理する事は大変重要な事となり、成果物と設備の関連性が高いことからこういった情報共有は大変重要である。
また、単に保水性シート２１を通気性素材２２、２３に挟んだだけでは供給した養液の一部のみしか保水性シート２１に到達せず、通気性素材２２、２３の空隙部分から多くは失われるため、多量の養液７を供給しなければ植物の育成に不十分だったが、それに対し、本発明では、通気性素材２２、２３の上面に保水性シート２１の端部を配置することにより、養液７を保水性シート２１に効果的に集めることができるので、養液７の落下位置のバラツキが大きい養液供給手段４を用いたとしても少ない養液７の供給で植物を栽培することができる。従って、養液７の供給又は循環に用いられるポンプとして容量の小さなポンプの使用が可能になり、これにより、設備費及びランニングコストの低減が可能になる。
【手続補正１８】
【補正対象書類名】明細書
【補正対象項目名】００２４
【補正方法】変更
【補正の内容】
【００２４】
以上説明したように、この発明によれば、栽培従事者６３をインターネットＮを介して栽培管理者６４、設備管理者６５、植物購入者６６と結び一元化することにより、作業の分担及び専門知識の分散化（知的労働の分散化）が可能となり、専門知識が必要な植物栽培をより簡素化することができるようになる。
また、設備費及びランニングコストの低減が可能になる。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】変更
【補正の内容】
【００３３】
請求項１０記載の縦型水耕栽培植物工場統合管理システムでは、上述のように、折り曲げ又は折り返した保水性シート２１ａ、２１ｂ上面を外側に行くに連れて高くなる傾斜状に形成することにより、折り曲げ又は折り返した保水性シート２１ａ、２１ｂ、又は別体の保水性シート２４に滴下した養液７の外部への飛び跳ねを防止すると共に、保水性シート２１に滴下された養液７の通気性素材２２、２３への漏れや蒸発を防止してより効率的に養液を活用することができるようになる。
【手続補正２８】
【補正対象書類名】明細書
【補正対象項目名】００３４
【補正方法】変更
【補正の内容】
【００３４】
請求項１１記載の縦型水耕栽培植物工場統合管理システムでは、上述のように前記両通水性素材２２、２３の上面に保水性シート２１を中心として外側に行くに連れて高くなる傾斜上面を有する傾斜部材８を備えることで、養液７を保水性シート２１に集中的に供給することができるようになる。
【手続補正２９】
【補正対象書類名】明細書
【補正対象項目名】００３５
【補正方法】変更
【補正の内容】
【００３５】
請求項１２記載の縦型水耕栽培植物工場統合管理システムでは、上述のように、前記通気性素材２２、２３の少なくとも片側の上面を、保水性シート２１を中心として外側に行くに連れて高くなる傾斜状に形成することにより、養液７を保水性シート２１に集中的に供給することができるようになる。
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を少なくとも一方の通気性素材２３の上面に折り曲げ載置し、
前記養液供給手段から養液７を折り曲げ載置された保水性シート２１ａに滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする縦型水耕栽培植物工場統合管理システム。
【請求項２】
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、
前記保水性シートが折り曲げ載置された通気性素材２３とは反対側の通気性素材２２の上面に別体の保水性シート２４を載置し、その下端部を前記保水性シート２１に接触させた構成とし、
前記養液供給手段４から養液７を折り曲げ載置された保水性シート２１ａ又は別体の保水性シート２４に滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする縦型水耕栽培植物工場統合管理システム。
【請求項３】
植物工場施設６１と、植物工場施設を所有する複数の投資家６２と、複数の植物工場施設６１の栽培にそれぞれ従事する栽培従事者６３と、複数の植物工場施設の栽培を一元管理する栽培管理者６４と、複数の植物工場施設の設備を一元管理する設備管理者６５と、複数の植物工場施設で栽培された植物を購入する複数の植物購入者６６との間で行う情報の授受をインターネットＮを介して行う縦型水耕栽培植物工場統合管理システムであり、
前記植物工場施設６１は、太陽光を受光するハウス６７の天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備え、
前記縦型水耕栽培筒１は、その一側面に前記培地２に植物の苗６を植え込むための垂直方向のスリット１１を備え、
前記培地２は、保水性シート２１とその両面を挟み込んだ通気性素材２２、２３とで構成され、
前記通気性素材２２、２３の上端より突出した保水性シート上端部を一方の通気性素材２３の上面に折り曲げ載置し、さらにその先端をもう一方の通気性素材２２の上面側に折り返し載置し、
前記養液供給手段４から養液７を折り返し載置された保水性シート２１ｂに滴下させるように構成し、
前記投資家６２と、栽培管理者６４と、設備管理者６５と、植物購入者６６には、それぞれインターネットＮに接続されたモニター付き端末装置６８ａ、６８ｂ、６８ｃ、６８ｄを備え、
前記植物工場施設６１には、養液情報を測定する養液センサー６９と、ハウス内の環境情報を測定するハウス内環境センサー７０と、ハウス内映像を撮影するネットワークカメラ７１と、植物栽培状況の日報データを入力するタッチパネル式入力端子７２と、ハウス外の環境情報を測定するハウス外環境センサー７３とを備え、
前記栽培従事者６３は、記憶装置を備えたタッチパネル式入力端子７２に植物栽培状況の日報データを入力し、
前記栽培管理者６４には、インターネットＮを介して複数の植物工場施設から送信される養液情報と、ハウス内環境情報と、ハウス内映像と、ハウス外環境情報と、日報データとを受信する栽培関連データサーバー７４を備え、前記植物購入者６６はモニター付き端末装置６８ｃからインターネットＮを介して栽培関連データサーバー７４にアクセスすることができ、
栽培管理者６４は、栽培関連データサーバー７４で受信された養液情報とハウス内環境情報に基づき、インターネットＮを介して植物工場施設６１における養液とハウス内環境の数値を遠隔で制御可能に構成され、
前記設備管理者６５には、インターネットＮを介して複数の植物工場施設から送信される養液情報と、ハウス内環境情報と、ハウス外環境情報とを受信する設備関連データサーバー７５を備え、前記投資家６２はモニター付き端末装置６８ａからインターネットＮを介して設備関連データサーバー７５にアクセスすることができるように構成されていることを特徴とする縦型水耕栽培植物工場統合管理システム。
【請求項４】
請求項１〜３のいずれか１項に記載の縦型水耕栽培植物工場統合管理システムにおいて、
前記植物工場施設６１は、ハウス６７の床面積がトラックで輸送可能な広さの長方形状で、現場で長方形状の幅方向に複数個連結可能であることを特徴とする縦型水耕栽培植物工場統合管理システム。
【請求項５】
請求項１〜４のいずれか１項に記載の縦型水耕栽培植物工場統合管理システムにおいて、
前記栽培従事者６３が入力する植物栽培状況の日報データは、農薬データと、植物生産量と、収穫された農作物の成果価値を示す評価値と、病気情況と、害虫情況と、養液管理状況であることを特徴とする縦型水耕栽培植物工場統合管理システム。
【請求項６】
請求項１〜５のいずれか１項に記載の縦型水耕栽培植物工場統合管理システムにおいて、
前記養液センサー６９で検出される養液情報は、養液の温度とＥＣ・ＰＨであることを特徴とする縦型水耕栽培植物工場統合管理システム。
【請求項７】
請求項１〜６のいずれか１項に記載の縦型水耕栽培植物工場統合管理システムにおいて、
前記ハウス内環境センサー７０で検出されるハウス６７内の環境情報は、ハウス６７内の温度と、湿度と、ＣＯ２とであり、ハウス外環境センサー７３で検出されるハウス６７外の環境情報は、日照と、外気温度とであることを特徴とする縦型水耕栽培植物工場統合管理システム。
【請求項８】
請求項７に記載の縦型水耕栽培植物工場統合管理システムにおいて、
前記植物工場施設６１のハウス６７内には、ハウス６７内の温度と、湿度と、ＣＯ２とを自動制御する環境自動制御装置３３を備えることを特徴とする縦型水耕栽培植物工場統合管理システム。
【請求項９】
請求項１〜８のいずれか１項に記載の縦型水耕栽培植物工場統合管理システムにおいて、
前記植物工場施設６１には、ポンプ３１ａ、３２ａを介して養液収容タンク３に接続された高濃度養液タンク３１と水タンク３２と、養液センサー６８で検出されるＰＨ値に基づいて高濃度養液タンク３１と水タンク３２から養液収容タンク３への供給量を制御して養液収容タンク３内の養液濃度を自動管理する自動養液管理装置３４を備えることを特徴とする縦型水耕栽培植物工場統合管理システム。
【請求項１０】
請求項１〜９のいずれか１項に記載の縦型水耕栽培植物工場統合管理システムにおいて、
折り曲げ又は折り返し載置された前記保水性シートは、該保水性シートを中心として縦型水耕栽培筒の両側側壁に行くに連れて高くなる傾斜状に形成されていること特徴とする縦型水耕栽培植物工場統合管理システム。
【請求項１１】
請求項１〜１０のいずれか１項に記載の縦型水耕栽培植物工場統合管理システムにおいて、
少なくとも片側の前記通気性素材の上面に保水性シート２１を中心として外側に行くに連れて高くなる傾斜上面を有する傾斜部材８を備えていることを特徴とする縦型水耕栽培植物工場統合管理システム。
【請求項１２】
請求項１〜１０のいずれか１項に記載の縦型水耕栽培植物工場統合管理システムにおいて、
前記通気性素材の少なくとも片側の上面が保水性シートを中心として外側に行くに連れて高くなる傾斜状に形成されていること特徴とする縦型水耕栽培植物工場統合管理システム。
【請求項１３】
請求項１〜１２のいずれか１項に記載の縦型水耕栽培植物工場統合管理システムにおいて、
前記養液回収手段５は、縦型水耕栽培筒１の下部から滴下する養液７を回収するドレンパン５１を備え、該ドレンパン５１に回収された養液７を養液収容タンク３に循環させるように構成されていることを特徴とする縦型水耕栽培植物工場統合管理システム。
【手続補正２】
【補正対象書類名】明細書
【補正対象項目名】００１５
【補正方法】変更
【補正の内容】
【００１５】
また、請求項１０記載の縦型水耕栽培植物工場統合管理システムは、請求項１〜９のいずれか１項に記載の縦型水耕栽培植物工場統合管理システムにおいて、
折り曲げ又は折り返し載置された前記保水性シートは、該保水性シートを中心として縦型水耕栽培筒の両側側壁に行くに連れて高くなる傾斜状に形成されていること特徴とする。
【手続補正３】
【補正対象書類名】明細書
【補正対象項目名】００１６
【補正方法】変更
【補正の内容】
【００１６】
また、請求項１１記載の縦型水耕栽培植物工場統合管理システムは、請求項１〜１０のいずれか１項に記載の縦型水耕栽培植物工場統合管理システムにおいて、
少なくとも片側の前記通気性素材の上面に保水性シート２１を中心として外側に行くに連れて高くなる傾斜上面を有する傾斜部材８を備えていることを特徴とする。
【手続補正４】
【補正対象書類名】明細書
【補正対象項目名】００１７
【補正方法】変更
【補正の内容】
【００１７】
また、請求項１２記載の縦型水耕栽培植物工場統合管理システムは、請求項１〜１０のいずれか１項に記載の縦型水耕栽培植物工場統合管理システムにおいて、
前記通気性素材の少なくとも片側の上面が保水性シートを中心として外側に行くに連れて高くなる傾斜状に形成されていること特徴とする。
【手続補正５】
【補正対象書類名】明細書
【補正対象項目名】００３３
【補正方法】変更
【補正の内容】
【００３３】
請求項１０記載の縦型水耕栽培植物工場統合管理システムでは、上述のように、折り曲げ又は折り返した保水性シート２１ａ、２１ｂ上面を縦型水耕栽培筒１の両側側壁に行くに連れて高くなる傾斜状に形成することにより、折り曲げ又は折り返した保水性シート２１ａ、２１ｂ、又は別体の保水性シート２４に滴下した養液７の外部への飛び跳ねを防止すると共に、保水性シート２１に滴下された養液７の通気性素材２２、２３への漏れや蒸発を防止してより効率的に養液を活用することができるようになる。